(57)【要約】【課題】      、尿等の汚染水が便器の表面に付着した場合であっても、汚染水が床面に到達しないようにし、床面を常に清潔な状態に維持することが出来るようにした洋式便器を提供する。【解決手段】  洋式便器１０の上部には、便座２０が回動自在に設けられるととともにタンク３０が設置されている。洋式便器１０は、床面４０に設置された便器本体１１と、この便器本体１１の上端に連続して形成されたリム部１２とを有している。リム部１２に、前記便座２０が設けられるとともにタンク３０が設置されている。タンク３０には手洗い器３１が設けられている。便器本体１１の下端には、その外周の全周に亘って溝部１３が形成されている。溝部１３の底面１４は、奥側ａから手前側ｂに向かって低くなるように傾斜して形成されている。溝部１３の最も手前側ｂの底面１４には、排水孔１５が形成されており、この排水孔１５にはワントラップ目皿１６が設けられている。【選択図】    図１
2009221729.tif 000002
【特許請求の範囲】
【請求項１】
便器本体と、該便器本体の上端に連続して形成され便座が載置されるリム部とを有し、該便器本体の下端外周の全周に亘って溝部が形成されていることを特徴とする洋式便器。
【請求項２】
前記溝部が奥側から手前側に向かって低くなるように傾斜して形成されていることを特徴とする請求項１記載の洋式便器。
【請求項３】
前記溝部の手前側において排水孔が形成されるとともに、該排水孔に排便管に連通する排水管が連結されていることを特徴とする請求項２記載の洋式便器。
【請求項４】
前記排水孔にゴミ侵入防止用の蓋体が設けられていることを特徴とする請求項３記載の洋式便器。
【請求項５】
前記リム部に、手洗い器が設けられたタンクが設置されていることを特徴とする請求項１、２、３又は４記載の洋式便器。
【発明の詳細な説明】
【技術分野】
【０００１】
本発明は、床面が尿等により汚されるのを防止した洋式便器に関し、さらに詳しくは、尿が便器表面を流れ落ちて床面に到達するのを防止できるようにした洋式便器に関するものである。
【背景技術】
【０００２】
通常、男性が洋式便器で放尿するには、洋式便器の手前に立ち、便器本体内に配置されたボール部内の洗浄液に向かって行うのであるが、尿が洗浄液に落下した際、洗浄液や尿からなる汚染水が水滴となって跳ね返り、リム部や便器本体に付着することがあり、このような場合、リム部や便器本体に付着した汚染水は表面を流れ落ちて床面に到達し、床面を汚すものであった。
【０００３】
また、放尿の際、全ての尿がボール部に落下するものでなく、飛沫となって周囲に飛散し、リム部や便器本体に直接付着する場合があり、このような場合は尿がリム部、便器本体の表面を流れ落ちて床面に到達し、床面を汚すものであった。特に、年少者の場合、尿をボール部内に正確に排出することが出来ないことが多いので、リム部や便器本体に直接掛けてしまう場合があり、床面の汚れがひどくなるものであった。
【０００４】
さらに、手洗い器付のタンクが設置されているタイプの便器においては、放尿後、手洗い器で手を洗うのであるが、その際、手洗いの水が跳ねてタンク、リム部、便器本体に付着し、タンク、リム部、便器本体の表面を流れ落ち、床面に到達して床面を汚すものであった。
【０００５】
さらにまた、冬季においては、タンク、リム部、便器本体の表面に結露し、その水滴が流れ落ちることにより床面を汚す場合があった。
【０００６】
以上のように、放尿の際、汚染水の跳ねによる床面の汚れは問題であり、従来、このような問題を解決するために、尿、糞等の飛散防止便器（例えば、特許文献１参照。）や、尿飛散防止装置（例えば、特許文献２参照。）が提案されていた。
【０００７】
【特許文献１】特開２００６−１６８２１号公報
【特許文献２】特開２００５−６８９８号公報
【発明の開示】
【発明が解決しようとする課題】
【０００８】
しかしながら、上述した従来の飛散防止便器等は、尿の飛散自体を防止するための技術であり、一旦飛散して便器の表面に尿が付着した場合は、依然として床面を汚すことを防止できないものであった。
【０００９】
本発明は、以上の問題点を解決し、尿等の汚染水が便器の表面に付着した場合であっても、汚染水が床面に到達しないようにし、床面を常に清潔な状態に維持することが出来るようにした洋式便器を提供することを目的とする。
【課題を解決するための手段】
【００１０】
請求項１に係る洋式便器は、便器本体と、該便器本体の上端に連続して形成され便座が載置されるリム部とを有し、該便器本体の下端外周の全周に亘って溝部が形成されていることを特徴として構成されている。
【００１１】
請求項２に係る洋式便器は、請求項１記載の洋式便器において、溝部が奥側から手前側に向かって低くなるように傾斜して形成されていることを特徴として構成されている。
【００１２】
請求項３に係る洋式便器は、請求項２記載の洋式便器において、溝部の手前側において排水孔が形成されるとともに、該排水孔に排便管に連通する排水管が連結されていることを特徴として構成されている。
【００１３】
請求項４に係る様式便器は、請求項３記載の洋式便器において、排水孔にゴミ侵入防止用の蓋体が設けられていることを特徴として構成されている。
【００１４】
請求項５に係る様式便器は、請求項１、２、３又は４記載の洋式便器において、リム部に、手洗い器が設けられたタンクが設置されていることを特徴として構成されている。
【発明の効果】
【００１５】
請求項１に係る洋式便器によれば、便器本体の下端外周の全周に亘って溝部が形成されているので、リム部、便器本体の表面を流れ落ちて来た汚染水は溝部により受けられる。したがって、汚染水が床面に到達することが無いので、床面を汚染水で汚すことが無く常に清潔な状態に維持することが出来る。
【００１６】
請求項２に係る洋式便器によれば、溝部が奥側から手前側に向かって低くなるように傾斜して形成されているので、溝部で受けられた汚染水は、奥側から手前側に流れてくるので、汚染水を手前側に集めることが出来、汚染水の除去作業や、溝部の洗浄作業が簡単になるものである。
【００１７】
請求項３に係る洋式便器によれば、溝部の手前側において排水孔が形成されるとともに、排水孔に排便管に連通する排水管が連結されているので、溝部に溜まった汚染水は、排水孔に集められ、この排水孔より排水管を介して排便管に移動して行くので、汚染水の除去作業が簡単なものである。
【００１８】
請求項４に係る洋式便器によれば、排水孔にゴミ侵入防止用の蓋体が設けられているので、ゴミ等の排水管への進入を防止することができるので、排水管が詰まったり、汚染水の流通が悪くなったりすることが無い。
【００１９】
請求項５に係る洋式便器によれば、リム部に手洗い器が設けられたタンクが設置されたものであるので、手洗いの際の跳ね水が便器に付着しても、床面を汚すことが無い。
【発明を実施するための最良の形態】
【００２０】
本発明の洋式便器においては、便器本体の下端外周の全周に亘って溝部が形成されている。溝部は便器本体の表面を流れ落ちてきた尿、洗浄水、水道水、結露により生じた水等の汚染水を受け止め、床面を濡らさないようにするためのものであり、汚染水を貯めることが出来れば、その形状、寸法等は特に限定されない。また、溝部は、奥側から手前側に向かって低くなるように傾斜して形成することが好ましい。このように傾斜して形成することにより、溝部に落下した汚染水が手前側に流れてきて溜まるので、汚染水の除去が簡単になり、また、溝部の清掃にあたっても、奥側から水を流すことにより、円滑に洗浄することが出来る。
【００２１】
溝部には、手前側において排水孔を形成するとともに、この排水孔に排便管に連通する排水管を連結することが好ましい。このように構成することにより、奥側から手前側に流れてきた汚染水が排水孔から排水管を介して排便管に流れているので、汚染水の除去作業が極めて簡単にできる。また、排水孔には、ゴミ等の異物が排水管に入り込まないようにゴミ侵入防止用の蓋体を設けることが好ましい。
【００２２】
本発明により洋式便器は、タンクが設置されているものでも設置されていないものでも特に限定されず適用することが出来るが、手洗い器が設けられたタンクが設置されている洋式便器に適用することが好ましい。このような洋式便器に適用することにより、手洗いの際、発生した跳ね水により床面が汚されるのを防止することが出来る。
【００２３】
本発明による洋式便器の一実施形態を図面を参照して説明する。
【００２４】
図１は洋式便器の斜視図、図２は洋式便器の正面図、図３は洋式便器の左側面図、図４は図２中Ａ−Ａ線断面図である。
【００２５】
これらの図において、１０は洋式便器で、この洋式便器１０の上部には、便座２０が回動自在に設けられるととともにタンク３０が設置されている。洋式便器１０は、床面４０に設置された便器本体１１と、この便器本体１１の上端に連続して形成されたリム部１２とを有し、このリム部１２に、前記便座２０が設けられるとともにタンク３０が設置されており、タンク３０には手洗い器３１が設けられている。
【００２６】
便器本体１１の下端には、その外周の全周に亘って溝部１３が形成されており、この溝部１３の底面１４は、奥側ａから手前側ｂに向かって低くなるように傾斜して形成されている。したがって、溝部１３に落ち込んだ汚染水は、奥側ａから手前側ｂに底面１４を流れて移動するようになっている。
【００２７】
また、溝部１３の最も手前側ｂの底面１４には、排水孔１５が形成されており、この排水孔１５にはワントラップ目皿１６が設けられ、ゴミ等が排水孔１５に侵入しないようになっている。この排水孔１５は、図３に示すように、床面４０下に埋設された排水管１７が連結されており、この排水管１７は排便管１８に連結されている。したがって、溝部１３に溜まった汚染水は、排水孔１５から排水管１６に流入し、排便管１８に送られるものである。
【００２８】
以上のような洋式便器１０においては、放尿の際、跳ね返りや飛散により尿等の汚染水がリム部１２や便器本体１１に付着したとき、付着した汚染水は表面を流れ落ちていくが、便器本体１１の下端において溝部１３に落ち込むこととなり、床面４０を汚すことが無い。また、溝部１３に落ち込んだ汚染水は、底面１４の傾斜により手前側に集められ、排水孔１５より排水管１７に流入し、排便管１８に排出される。
【図面の簡単な説明】
【００２９】
【図１】本発明による洋式便器の一実施形態の斜視図
【図２】本発明による洋式便器の一実施形態の正面図
【図３】本発明による洋式便器の左側面図
【図４】図２中Ａ−Ａ線断面図
【符号の説明】
【００３０】
１０  洋式便器
１１  便器本体
１２  リム部
１３  溝部
１４  底面
１５  排水孔
１６  ワントラップ目皿
１７  排水管
１８  排便管
２０  便座
３０  タンク
３１  手洗い器
４０  床面
【図１】
2009221729.tif 000003
【図２】
2009221729.tif 000004
【図３】
2009221729.tif 000005
【図４】
2009221729.tif 000006